(57)【要約】【課題】例えば犬や猫、鳥、ハムスターなどのペットを室内で飼育するときに使用されるペット用ケージやペット用サークル等のペット柵におけるパネル連結具に関して、部品点数を抑えることによるコストの低減、組み立ての簡単化等が行えるようにすること。【解決手段】ペット柵を構成するペット柵用パネル２，３，４の左右両側に位置して縦に延びる線材２ｘ，３ｘ，４ｘを回転可能に保持する保持孔５ａを左右に並設した連結具５であって、上記保持孔５ａを、連結したパネル２，３，４を並行に並べられる間隔を隔てて形成するとともに、当該連結具５を、上記保持孔５ａを前後に２分割する位置で分割形成した、同一形状をなす２個の連結具担体２５で構成し、これら２つの連結具担体２５には、相互に係合する係合凸部２７と係合凹部２８とを備えた連結具５。【選択図】図１１
2006340734.tif 000002
【特許請求の範囲】
【請求項１】
ペット柵を構成するペット柵用パネルの左右両側に位置して縦に延びる線材を回転可能に保持する保持孔を左右に並設した連結具であって、
上記保持孔を、連結したパネルを並行に並べられる間隔を隔てて形成するとともに、
当該連結具を、上記保持孔を前後に２分割する位置で分割形成した２つの連結具担体で構成し、
これら２つの連結具担体には、相互に係合する係合手段を備えた
連結具。
【請求項２】
前記２つの連結具担体を同一形状に形成した
請求項１に記載の連結具。
【請求項３】
前記連結具担体の左右いずれか一方の縁部に、係合凸部と係合凹部を上下に順に形成するとともに、
他方の縁部には、上記係合凸部と同一形状の係合凸部に係合する係合凹部、および上記係合凹部と同一形状の係合凹部に係合する係合凸部を上下に順に形成した
請求項２に記載の連結具。
【発明の詳細な説明】
【技術分野】
【０００１】
この発明は、例えば犬や猫、鳥、ハムスターなどのペットを室内で飼育するのに使用するような、ペット用ケージやペット用サークル等のペット柵に関し、より詳しくは、ペット柵を構成するペット柵用パネルを連結するための連結具に関する。
【背景技術】
【０００２】
ペット用ケージは、周囲全体を囲んでペットの収容空間を形成するもので、ペット用サークルは、周囲のみを囲んでペットの収容空間を形成するものである。いずれの場合も一般に金網状のパネルを用いて構成させれ、パネルを連結したのち他の部材と組み合わせたり、パネルのみを連結したりして構成する。
【０００３】
パネルを連結する連結具には、たとえば下記特許文献１に開示されているような様々なものがあるが、コストの掛からない簡素な構成で、しっかりと連結できるのものが求められていた。
【０００４】
特許文献１の連結具は、２個の部材からなるもので、次のようにしてパネルの連結を行う。まず、一方の第１部材をペットケージの内部側に配置してからパネルの針金をその第１部材の受容溝内に挿入する。つぎに、他方の第２部材をペットケージの外部側に配置して、第２部材の包持部を略直角方向から第１部材に外嵌させて、仮着結合し、両部材の位置あわせをする。つづいて、第２部材の端を押圧して回動させて第２部材と第１部材を閉じるように係合させる。
【０００５】
この連結具によれば、第１部材と第２部材との結合に際して、位置合わせ作業と係合作業を同時に行う必要がなく、位置合わせを行った後に係合作業をすればよいので、結合作業が容易であるという。
【０００６】
しかしながら、第１部材と第２部材は、それぞれ形状が異なるうえに、仮着結合のための複雑な構造を有しているので、コストが掛かる難点がある。また、結合作業に際して回動操作が必要であるので、慣れないと組み立て作業は面倒である。
【０００７】
【特許文献１】実公平５−１８９３７号公報
【発明の開示】
【発明が解決しようとする課題】
【０００８】
そこでこの発明は、ペット柵用パネル連結具に関し、部品点数を抑えることによるコストの低減、組み立ての簡単化等が行えるようにすることを主たる課題とする。
【課題を解決するための手段】
【０００９】
そのための手段は、ペット柵を構成するペット柵用パネルの左右両側に位置して縦に延びる線材を回転可能に保持する保持孔を左右に並設した連結具であって、上記保持孔を、連結したパネルを並行に並べられる間隔を隔てて形成するとともに、当該連結具を、上記保持孔を前後に２分割する位置で分割形成した２つの連結具担体で構成し、これら２つの連結具担体には、相互に係合する係合手段を備えた連結具である。
【００１０】
すなわち、ペット柵用パネルの連結に際しては、連結具担体を、例えば嵌合構造やねじなどの適宜の係合手段を用いて前後に係合して一体化すればよいが、このときに、ペット柵用パネルの左右両側の線材を挟んで、保持孔に位置させる。
【００１１】
連結されたペット柵用パネルは、保持孔が線材を回転可能に保持するとともに、保持孔が、パネルを並行に並べられる間隔を隔てて形成しているので、単に変形させるだけでペット柵用パネルを用いたペット用ケージやペット用サークルを偏平に（コンパクトに）変形できる。
【００１２】
なお、前記２つの連結具担体は、同一形状に形成するとよい。同一の形状であれば、成形に必要な型が一つで済み、コストを抑えることができる。
【００１３】
具体的には、前記連結具担体の左右いずれか一方の縁部に、係合凸部と係合凹部を上下に順に形成するとともに、他方の縁部には、上記係合凸部と同一形状の係合凸部に係合する係合凹部、および上記係合凹部と同一形状の係合凹部に係合する係合凸部を上下に順に形成するとよい。
【発明の効果】
【００１４】
この発明によれば、ペット柵用パネルを連結する連結具を、保持孔を前後に２分割する位置で分割形成した２つの連結具担体で構成し、これら連結具担体には相互に係合し合う係合手段を備えたので、連結具担体を単に係合するだけで、パネルの連結状態を得ることができる。しかも、左右に並設する上記連結孔は、連結したパネルを並行に並べられる間隔に形成したので、連結後は、パネル同士のイ向きを変えるように変形すれば、それだけで偏平な形状や立体の形状に簡単に変更でき、扱いが便利である効果を達成でき、上記施錠装置の効果と相俟って、価値あるペット柵、すなわちペット用ケージやペット用サークルを得ることができる。
【００１５】
特に、連結具担体を同一形状に形成すれば、連結具の製造に際して一つの型があればよいので、コストや部品管理負担の低減に大きく貢献する。
【発明を実施するための最良の形態】
【００１６】
この発明を実施するための一形態を、以下図面を用いて説明する。  
図１は、ペット用ケージ１の正面図であり、このペット用ケージ１は、図２の分解斜視図に示したように、金属製の線材を縦横に組み合わせてなる金網状の前パネル２と、後パネル３と、２枚ずつの合計４枚の側面パネル４を連結具５で連結して周壁部材６を形成するとともに、この周壁部材６に、同じく金属製線材からなる金網状の天井パネル７を取り付けて上面を塞ぎ、これを合成樹脂製の底部材８に載置して構成する。
【００１７】
上記周壁部材６は、側面パネル４を内側に折り込むことによって、前パネル２と後パネル３が近づくように変形するもので、詳しくは後述する。
【００１８】
上記天井パネル７は、外周縁に線材からなる係止部７ａ，７ｂ，７ｃを複数設けて、周壁部材６の上端縁に対して着脱可能に係止する。
【００１９】
上記底部材８は、上記周壁部材６を載置可能な大きさの方形状の底板９における外周縁に、縁部１０を立設するとともに、その内周側に、周壁部材６を乗せられる幅の溝を介して周壁部１１を立設する。周壁部１１は全周に形成し、その前面側は、ペットの出入り口１１ａとして低く形成している。そして上記縁部１０の左右両側面部の中間位置は、外方へ若干突出形成して、バックル１２を保持する。バックル１２は溝に載置した周壁部材６の側面、すなわち２枚の側面パネル４の隣接部分を、側面パネル４における横に延びる線材４ａに引っ掛けて下へ押さえ込んで固定する。
【００２０】
上記底板９の下面の四隅にはストッパ付きのキャスタ１３を取り付け、移動の容易化を図っている。
【００２１】
このような概略構造のペット用ケージ１に用いる前パネル２について、次に説明する。
【００２２】
前パネル２には、ペットの出入りのために上部がアーチ型となる出入り口１４を形成しており、この出入り口１４を塞ぐべく、扉体１５を枢着している。そして扉体１５の枢着部１５ａとは反対側に、扉体１５の閉状態を保つための施錠装置１６を取り付けている。また、扉体１５の上部の対向位置には、補助の施錠装置として、第２の施錠装置１７を設けて、扉体１５の閉状態を得るようにしている。
【００２３】
まず上記施錠装置１６から説明する。この施錠装置１６は、図３に示した通りであり、主に３つの部材からなる。すなわち左右方向に摺動すべく前後に組み合わせる２枚の摺動部材１８，１９と、この中に備えた付勢部材としての引張コイルばね２０（以下、ばねという）である。
【００２４】
後側に位置する後側摺動部材１８の内面を図４に、前側に位置する前側摺動部材１９の内面を図５に示した。
【００２５】
ここで、施錠装置１６を取り付ける、扉体１５における取り付け位置について説明すると、この取り付け位置には、正面視横長コ字形の線材からなる被摺動部１５ｂを形成している。被摺動部１５ｂの先は、扉体１５の外周縁の線材１５ｃよりも外方へ突出し、対向する出入り口１４開口縁の線材１４ａに跨る位置まで延ばして、その先端縁を後方に向けてコ字形に折曲している。
【００２６】
上記被摺動部１５ｂ上を左右に摺動するように、上記後側摺動部材１８も前側摺動部材１９も形成している。
【００２７】
図４に示したように、後側摺動部材１８は、被摺動部１５ｂよりも幅広に形成し、上下両端縁部に摺動部１８ａを形成し、それより内側に、被摺動部１５ｂの内側に沿う規制のための第１突条１８ｂと、前側摺動部材１９との間を所定の距離に保つために形成した、第１突条１８ｂよりも高さのある第２突条１８ｃを２本ずつ形成している（図６参照）。
【００２８】
第１突条１８ｂと第２突条１８ｃの間には、２個ずつ、段部１８ｄを形成し、段部１８ｄの中心に、ねじなどからなる結合部材２１（図３参照）を挿入して前側摺動部材１９と結合するための貫通孔１８ｅを形成する。別体の結合部材２１を用いずに、凹凸で相互に嵌合し合うように構成するもよい。
【００２９】
上記第２突条１８ｃの間には、前記ばね２０の一端を保持する保持突起１８ｆを立設する。この保持突起１８ｆは、図６に示したように、その先端が前側摺動部材１９に嵌合するもので、周面における下部側には、ばね２０の一端の位置を規制するための規制片１８ｇを、外周方向に張り出すように上下に２本形成している。この規制片１８ｇの高さは、ばね２０の一端部の高さが下がらないように保つことで、ばね２０の付勢力に抗して摺動したときにその引っ張った状態での係止による位置決めを可能にする。
【００３０】
また、施錠装置１６の摺動範囲は、施錠装置１６の取り付け位置から、突出して対向側に跨る突出位置までに設定する。そして、後側摺動部材１８における反枢着部１５ａ側には、扉体１５の被摺動部１５ｂと図４に示したような位置関係になったときに、つまり、施錠装置１６を突出位置に摺動して、出入り口１４開口縁の縦に延びる線材１４ａに跨るようになったときに、上記線材１４ａの後側に位置する、挟み込み部の一方１８ｈを形成している。
【００３１】
一方、前側摺動部材１９は、図５に示したように、被摺動部１５ｂよりも幅広に形成するとともに、上下両側縁部に摺動部１９ａを形成する。そして上記後側摺動部材１８の段部１８ｄに対応する位置に、先端が段部１８ｄに当接する離間柱１９ｂを立設し、その中央に、ねじなどの上記係合部材２１（図３参照）のための貫通孔１９ｃを形成している。
【００３２】
また、上記後側摺動部材１８の保持突起１８ｆを形成した部位に対応する位置は、膨出形成して表側につまみ部１９ｄを形成するとともに、中心に、上記保持突起１８ｆの先端を嵌合する嵌合穴１９ｅを形成している。
【００３３】
この前側摺動部材１９も、上記後側摺動部材１８と略同様の長さに形成し、反枢着部１５ａ側の端部を、挟み込み部の他方１９ｆに設定する。また、この挟み込み部の他方１９ｆと反対側の端（反突出位置側）は、後側摺動部材１８よりも若干延ばして、ばね２０の付勢力に抗して取り付け位置側に摺動した時に、取り付け位置、すなわちそこにある縦に延びる線材１５ｄに係脱可能に係止する係止部１９ｇを形成している。
【００３４】
この係止部１９ｇは、被摺動部１５ｂの内側位置に、相互に離間させて２箇所に形成したもので、後方へ突出した形状である。この係止部１９ｇの内側には、数本の突条１９ｈを並設し、係止を外すときに指が引っ掛かりやすくしている。
【００３５】
また、上記係止部１９ｇ間は、湾状に凹む凹部１９ｉを設け、摺動操作に際して指先が引っ掛かるようにしている。図中、１９ｊはのぞき窓である。
【００３６】
前記ばね２０は、一端を上記保持突起１８ｆに保持するとともに、他端を扉体１５の外周縁に位置する縦に延びる線材１５ｃに保持する。この状態で、扉体１５を挟むように、後側摺動部材１８と前側摺動部材１９を前後方向から組み合わせて、適宜の結合部材を用いて一体化すればよい。
【００３７】
なお、上記構成では、後側摺動部材１８と前側摺動部材１９で一つの挟み込み部を形成したが、いずれか一方のみに挟み込み部を形成するもよい。
【００３８】
このように構成した施錠装置１６は、扉体１５を閉じた状態では図６に実線で示したように、出入り口１４開口縁の縦に延びる線材１４ａを前後で一対の挟み込み部１８ｈ，１９ｆで挟み込んだ状態となるが、凹部１９ｉとつまみ部１９ｄに指を掛けてばね２０の付勢力に抗して押し下げると、仮想線で示したように摺動する。そして、係止部１９ｇ側を若干後方へ押して、縦に延びる線材１５ｄに引っ掛けることで、係止部１９ｇはカチッと係止する。施錠するときには、係止部１９ｇの裏側に指先を引っ掛けて若干引き起こすことで、係止部１９ｇの係止が外れるので、後は扉体１５を閉めた状態にしてばね２０の付勢力に任せればよい。
【００３９】
つづいて、第２の施錠装置１７について説明する。  
第２の施錠装置１７は、扉体１５の上部を閉鎖状態に規制するためのもので、扉体１５の上部の対向部、すなわち出入り口１４開口縁の上部を取り付け位置に設定して、この取り付け位置に取り付けを行っている。出入り口１４開口縁の上部がアーチ形に湾曲しているので、第２の施錠装置１７は、下端縁をアーチ形に湾曲した略横長長方形状に形成している。扉体１５の上部がアーチ形以外の他の形状であれば、それに対応した形状に形成する。
【００４０】
この第２の施錠装置１７も、線材からなる前パネル２を前後に挟む２つの摺動部材２２，２３を用いて構成する。後側に位置する後側摺動部材２２も、前側に位置する前側摺動部材２３も同一の正面視形状に形成している。図８に示したように、後側摺動部材２２には、前パネル２の取り付け位置を形成する縦に延びる４本の線材２ａを通す凹溝２２ａを形成し、左右２つずつの凹溝２２ａを挟む位置には、上記溝２２ａの厚みに近い段部２２ｂを形成する。段部２２ｂの中心には、貫通孔２２ｃを形成する。
【００４１】
また、第２の施錠装置１７は、上下方向に摺動するものであり、上記取り付け位置から、下に突出して対向側、すなわち扉体１５の上端縁部に跨る突出位置まで摺動した時に、該摺動方向に位置する部位、すなわち扉体１５の上端縁部を前後に挟み込む挟み込み部を有している。この挟み込み部の一方２２ｄを、上記後側摺動部材の下端縁に設定する。
【００４２】
前側摺動部材２３は、後側摺動部材２２よりも厚く形成し、上記段部２２ｂに対応する位置に、先端が上記貫通孔２２ｃに嵌合する突部２３ａを先端に有する突起２３ｂを形成する。突部２３ａの中心には、ねじなどの結合部材（図示せず）を挿入するための孔部を形成する。
【００４３】
そして、上記突起２３ｂは上記突部２３ａよりも大径で、その外周面には、十字状に突条２３ｃを形成する。この突条２３ｃは、後側摺動部材２２と前側摺動部材２３を組み合わせたときに、その突条２３ｃの先端面と、後側摺動部材２２の段部２２ｂとの間に若干の隙間ができるようにするためのものである。
【００４４】
その隙間には、摺接部材として、線材からなるばね２４を保持する。ばね２４は、ばね鋼からなる一直線状の線材の両端部を上記突部２３ａに外嵌する大きさに丸めた形状である。ばね２４の両端部を突部２３ａに嵌めてから、そのまま前パネル２の取り付け位置の表側（前側）に当てがい、後側摺動部材２３を裏側（後側）から組み付ければよい。
【００４５】
なお、上記前側摺動部材２３の上面の中央部には、滑り止め用の凹凸２３ｄ（図７参照）を、複数本の突条の形成で設けている。
【００４６】
また、前側摺動部材２３の下端縁は、その上部よりも薄く形成して、後側摺動部材２２における挟み込み部の一方２２ｄとの間に所定の間隔を設け、扉体１５の上端縁部を挟み込むための挟み込み部の他方２３ｅに設定している。
【００４７】
上述のように構成すると、後側摺動部材２２と前側摺動部材２３の間に保持したばね２４は、取り付け位置の縦の線材４ａ表側に弾性力を以って接する。このため、摺接抵抗が生まれ、上下方向に摺動可能でありながらも任意の位置で位置固定できる。図７に示したように下に下ろせば、扉体１５の上端部を閉姿勢に位置規制できる。
【００４８】
後側摺動部材２２と前側摺動部材２３とを組み合わせるだけで摺接抵抗が生まれるように設定すれば、ばね２４を省略できる。また、後側摺動部材２２や前側摺動部材２３の成形時に、弾力性を以って接するばね状の摺接部を一体に設けるもよい。さらに、適宜のばね、付勢手段で、上下方向のいずれか一方に付勢して、前述の施錠装置１６のように付勢力に抗して摺動した状態を保持できるように、適宜の係止部等を形成するもよい。
【００４９】
次に、前記連結具５について説明する。  
連結具５は、上記施錠装置１６と第２の施錠装置１７を取り付けた前パネル２に、側面パネル４と後パネル３を連結して、前記周壁部材６を形成するためのもので、図１、図２に示したように、各パネル２，３，４を構成する線材のうち、両側縁を構成して縦に延びる線材２ｘ，３ｘ，４ｘ上であって、所定間隔を隔てて並べた横に延びる線材２ｙ，４ｙ間に取り付ける。
【００５０】
図９がその連結具５の斜視図であり、図１０が、その形状を詳細に表す図である。図１０中、（ａ）は左側面図、（ｂ）は正面図、（ｃ）は背面図、（ｄ）はＢ−Ｂ断面図、（ｅ）は平面図、（ｆ）はＡ−Ａ断面図である。
【００５１】
つまりこの連結具５は、パネル２，３，４の左右両側に位置して縦に延びる線材２ｘ，４ｘを回転可能に保持する保持孔５ａを左右に並設した連結具５であり、これら保持孔５ａを、連結したパネル２，３，４を並行に並べられる間隔を隔てて形成するとともに、上記保持孔５ａを前後に２分割する位置で分割形成した同一形状をなす２つの連結具担体２５で構成している。そしてこれら２つの連結具担体２５には、相互に係合する係合手段を一体に備えている。
【００５２】
具体的には、正面視長方形状の板状に形成し、側面を横断面円形に湾曲形成した内側の左右両側部に、縦の延びる２本の凹溝２６を形成する。この凹溝２６が係合後、上記保持孔５ａを形成する。つまり凹溝２６は、線材２ｘ，４ｘに外嵌する円形の半分の大きさに形成して、連結したパネル２，３，４を並行に並べられる間隔を隔てている。
【００５３】
そしてこの凹溝２６の外側には、係合手段を一体に形成している。係合手段は、相互に係合し合う係合凸部２７と係合凹部２８で、係合凸部２７は、凹溝２６を形成する面から立ち上げた後、外側に傾斜面２７ａを形成して、その下端に返し部２７ｂを形成した構造である。係合凹部２８は、側面部の湾曲面に沿って切り立たせた後、内側に傾斜面２８ａを形成し、その下に上記係合凸部２７が係合する係合溝２８ｂを形成した構造である。
【００５４】
上記係合凸部２７と係合凹部２８は、同種のものが対角線上に並ぶようにしている。すなわち、左右いずれか一方の縁部に、係合凸部２７と係合凹部２８を上下に順に形成し、他方の縁部には、係合凹部２８と係合凸部２７を上下に順に形成している。
【００５５】
また、凹溝２６間は連結具担体２５相互間で互いに接触する平面で形成し、その平面の左右方向の中間位置における上部と下部には、それぞれ、相互に嵌合する形の嵌合突起２９と嵌合孔３０を形成している。
【００５６】
このように構成した連結具担体２５は、一箇所の連結に２つ用意し、各連結具担体２５を向かい合わせて、凹溝２６に縦の線材２ｘ，３ｘ，４ｘを対応させた状態で相互にパチンと嵌め合わせ、係合凸部２７と係合凹部２８を係合し合えばよい。嵌め殺し状態となり、しっかりと堅固な連結状態を得られる。
【００５７】
連結すると、図１１に示したような状態になって、２枚ずつ連結した側面パネル４を内側に折り込むことで、前パネル２と後パネル３が近接した、偏平な状態に折り畳むことができる。ペット用ゲージ１を組み立てるときには逆に、側面パネル４を引き起こすか、後パネル３と前パネル２を離間させればよい。
【００５８】
なお、上下に形成した係合凸部と係合凹部との間に、横に延びる線材を保持する隙間を形成すれば、並行する２本の線材のないパネルも連結できる。
【００５９】
また、上述のように一体に形成した係合手段ではなく、例えばねじ等の別体の係合手段で相互の一体化を行うもよい。
【００６０】
上述のような前パネル２と連結具５（連結具担体２５）を有したペット用ケージ１では、扉体１５の閉鎖状態を保持する施錠装置１６に、付勢力に抗して取り付け位置側に摺動して開錠した時に取り付け位置に係止する係止部１９ｇを形成しているので、取り付け位置側に移動した状態を保持できる。つまり両手をあけることができるので、ペットの出し入れ作業をはじめ、他の作業を容易にできる。また、図１２に示したようにペット用ケージ１に用いる前パネル２が大型であって、扉体１５も縦に長い場合など、複数の施錠装置１６を設けた場合であっても、係止部１９ｇの係止により、各施錠装置１６を扉体１５の開放可能位置に固定しておくことができるので、上述と同様に、両手をあけて他の作業をでき、至って便利である。なお、図１２において、上述の構成と同様の部分については同一の符号を付して、詳しい説明を省略する。
【００６１】
しかも、施錠装置１６全体が左右方向に摺動するので、従来のようにロック操作体を内蔵する必要がなく、主に前側摺動部材１９と後側摺動部材１８とばね２０との３個と、部品点数を抑えることができる。このため、組み立て作業が簡単であり、組み立てに要する手間も、コストも低減できる。
【００６２】
また、第２の施錠装置１７を設けると、扉体１５の閉塞状態を、扉体１５の上部においても、また必要であれば下部においても維持できるので、ペットが不測に体を挟んでしまうようなことを阻止でき、安全性を高めることができる。
【００６３】
さらに、このように有益な前パネル２と他のパネル３，４を連結する連結具５を、保持孔５ａを前後に２分割する位置で分割形成した２つの連結具担体２５で構成し、これら連結具担体２５には相互に係合し合う係合凸部２７と係合凹部２８を備えたので、連結具担体２５を単に係合するだけで、パネル２，３，４の連結状態を得ることができる。しかも、左右に並設する上記連結孔５ａは、連結したパネル２，３，４を並行に並べられる間隔に形成したので、連結後は、パネル２，３，４同士の向きを変えるように変形すれば、それだけで偏平な形状や立体の形状に簡単に変更でき、扱いが便利である。例えば組み立てた状態で販売しても、コンパクトにできるので、持ち運びや保管等が容易である。
【００６４】
特に、連結具５を構成する連結具担体２５を同一形状に形成しているので、製造に際して一つの型があればよく、コストや部品管理負担の低減に大きく貢献できる。
【００６５】
この発明の構成と、上記一形態の構成との対応において、  
この発明のペット柵は、ペット用ケージ１に対応し、  
以下同様に、  
ペット柵用パネルは、前パネル２、後パネル３、側面パネル４に対応し、  
係合手段は、係合凸部２７と係合凹部２８に対応するも、  
この発明は、上記構成のみに限定されるものではなく、その他の形態を採用することもできる。
【００６６】
例えば、天井部も底部もない囲いだけのペット用サークルに、上述のような前パネル２を使用するもよい。また、施錠装置１６や第２の施錠装置１７の取り付け位置は、上述した取り付け位置の対向側であるもよい。
【図面の簡単な説明】
【００６７】
【図１】ペット用ケージの正面図。
【図２】ペット用ケージの分解斜視図。
【図３】施錠装置の一部破断正面図。
【図４】施錠装置を構成する後側摺動部材の表面図。
【図５】施錠装置を構成する前側摺動部材の裏面図。
【図６】施錠装置の作用状態を示す断面図。
【図７】第２の施錠装置における作用状態の正面図。
【図８】第２の施錠装置の断面図。
【図９】連結具担体の斜視図。
【図１０】連結具担体の説明図。
【図１１】連結具の作用状態の説明図。
【図１２】他の例に係るペット用ケージの正面図。
【符号の説明】
【００６８】
１…ペット用ケージ
２…前パネル
３…後パネル
４…側面パネル
５…連結具
５ａ…保持孔
１４…出入り口
１４ａ…出入り口開口縁の線材
１５…扉体
１５ａ…枢着部
１５ｄ…取り付け位置の縦の線材
１６…施錠装置
１７…第２の施錠装置
１８…後側摺動部材
１８ｈ…挟み込み部の一方
１９…前側摺動部材
１９ｆ…挟み込み部の他方
１９ｇ…係止部
２０…引張コイルばね
２２…後側摺動部材
２２ｄ…挟み込み部の一方
２３…前側摺動部材
２３ｅ…挟み込み部の他方
２４…ばね
２５…連結具担体
２６…凹溝
２７…係合凸部
２８…係合凹部
【図１】
2006340734.tif 000003
【図２】
2006340734.tif 000004
【図３】
2006340734.tif 000005
【図４】
2006340734.tif 000006
【図５】
2006340734.tif 000007
【図６】
2006340734.tif 000008
【図７】
2006340734.tif 000009
【図８】
2006340734.tif 000010
【図９】
2006340734.tif 000011
【図１０】
2006340734.tif 000012
【図１１】
2006340734.tif 000013
【図１２】
2006340734.tif 000014